(57)【要約】【課題】ラッチの不正操作を阻む専用のカバーを不要としてコストの高騰や組み付け工数の増加を未然に回避し得るフードロック装置の不正操作防止構造を提供する。【解決手段】フードリッド２の裏面に装備したストライカ３に対しラッチ４を係合して前記フードリッド２の開作動をロックし、前記ラッチ４を車室内から遠隔操作して前記フードリッド２のロックを解除するようにしたフードロック装置の不正操作防止構造に関し、前記ラッチ４の周辺構造物であるウォッシャタンク８の少なくとも一部を、前記ラッチ４を下方から不正操作できないように遮蔽する張出部８ａとする。【選択図】図２
2018024976.tif 000002
【特許請求の範囲】
【請求項１】
フードリッドの裏面に装備したストライカに対しラッチを係合して前記フードリッドの開作動をロックし、前記ラッチを車室内から遠隔操作して前記フードリッドのロックを解除するようにしたフードロック装置の不正操作防止構造であって、前記ラッチの周辺構造物の少なくとも一部が、前記ラッチを下方から不正操作できないように遮蔽する張出部を成していることを特徴とするフードロック装置の不正操作防止構造。
【請求項２】
ラッチの周辺構造物が樹脂成形部品であり、該樹脂成形部品の一部に前記ラッチの下方に回り込む張出部が一体成形されていることを特徴とする請求項１に記載のフードロック装置の不正操作防止構造。
【請求項３】
ラッチの周辺構造物を成す樹脂成形部品がウォッシャタンクであることを特徴とする請求項２に記載のフードロック装置の不正操作防止構造。
【発明の詳細な説明】
【技術分野】
【０００１】
本発明は、フードロック装置の不正操作防止構造に関するものである。
【背景技術】
【０００２】
一般的に、キャブオーバ型のトラックにおいては、キャブをシャシに対しチルト（前傾）させてエンジン周りのメンテナンスを行えるようになっているが、ウォッシャタンクへのウォッシャ液の補充等といった簡易的なメンテナンスについては、キャブのフロントのフードリッドを開いて行えるようになっている。
【０００３】
この種のフードリッドは、その裏面に装備したストライカに対しラッチを係合する形式のフードロック装置により開作動がロックされるようになっており、必要時に車室内のフードオープナーレバーを運転者が操作することで前記ロックが解除されるようになっている。
【０００４】
尚、本発明に関連する先行技術文献情報としては下記の特許文献１等がある（この特許文献１は乗用車のトランクリッドに関するもので、キャブオーバ型のトラック等におけるキャブのフードリッドに向けられたものではない）。
【先行技術文献】
【特許文献】
【０００５】
【特許文献１】特開２００３−１８２６３９号公報
【発明の概要】
【発明が解決しようとする課題】
【０００６】
しかしながら、前述した如き従来構造において、ラッチの直下が空きスペースとなっている場合には、第三者がキャブの下に潜り込んで前記ラッチを不正に操作することでロックが解除されてしまう虞れがあり、トラックの持ち主が気づかないうちにフードリッドを勝手に開けられて各種部品の盗難やいたずらの被害に遭うことが懸念されている。
【０００７】
このため、先の特許文献１にも記載されている通り、ラッチを覆う専用のカバーを使用して前記ラッチの不正操作を阻む措置が取られているが、このような専用のカバーを用いることでコストの高騰や組み付け工数の増加を招いてしまうという問題があった。
【０００８】
本発明は上述の実情に鑑みてなしたもので、ラッチの不正操作を阻む専用のカバーを不要としてコストの高騰や組み付け工数の増加を未然に回避し得るフードロック装置の不正操作防止構造を提供することを目的としている。
【課題を解決するための手段】
【０００９】
本発明は、フードリッドの裏面に装備したストライカに対しラッチを係合して前記フードリッドの開作動をロックし、前記ラッチを車室内から遠隔操作して前記フードリッドのロックを解除するようにしたフードロック装置の不正操作防止構造であって、前記ラッチの周辺構造物の少なくとも一部が、前記ラッチを下方から不正操作できないように遮蔽する張出部を成していることを特徴とするものである。
【００１０】
而して、このようにすれば、ラッチを覆う専用のカバーを用いなくても、フードロック装置を周辺構造物と一緒に組み付けるだけで、フードロック装置のラッチが前記周辺構造物の張出部により遮蔽されて下方から不正操作することが不可能となり、第三者がキャブの下に潜り込んでラッチを不正に操作することでロックが解除されてしまう虞れがなくなる。
【００１１】
また、本発明においては、ラッチの周辺構造物が樹脂成形部品であり、該樹脂成形部品の一部に前記ラッチの下方に回り込む張出部が一体成形されていることが好ましく、このようにすれば、ラッチの周辺構造物を樹脂成形する際に、その形状を工夫して張出部が一体成形されるようにしておくだけで済み、より具体的には、ラッチの周辺構造物を成す樹脂成形部品としてウォッシャタンクを選定することが可能である。
【発明の効果】
【００１２】
上記した本発明のフードロック装置の不正操作防止構造によれば、下記の如き種々の優れた効果を奏し得る。
【００１３】
（Ｉ）本発明の請求項１に記載の発明によれば、ラッチの周辺構造物の張出部により前記ラッチを下方から不正操作できないように遮蔽することができるので、専用のカバーを不要としてコストの高騰や組み付け工数の増加を未然に回避することができ、しかも、ラッチの不正操作を確実に阻んでフードリッド内の各種部品の盗難やいたずらの被害を従前通りに防止することができる。
【００１４】
（ＩＩ）本発明の請求項２、３に記載の発明によれば、ラッチの周辺構造物を成すウォッシャタンク等を樹脂成形する際に、その形状を工夫して張出部が一体成形されるようにしておくだけで極めて容易に実施することができる。
【図面の簡単な説明】
【００１５】
【図１】本発明を実施する形態の一例を示す正面図である。
【図２】図１の要部をフードリッドを閉じた状態で側方から見た断面図である。
【図３】図２のＩＩＩ−ＩＩＩ方向の矢視図である。
【発明を実施するための形態】
【００１６】
以下、本発明の実施の形態を図面を参照しつつ説明する。
【００１７】
図１〜図３は本発明を実施する形態の一例を示すもので、図１はキャブオーバ型のトラックにおけるキャブ１のフードリッド２を上方へ開いた状態で示す正面図であり、図２は図１の要部をフードリッド２を閉じた状態で側方から見た断面図であり、図３は図２のＩＩＩ−ＩＩＩ方向の矢視図である。
【００１８】
図１及び図２に示す如く、前記フードリッド２の裏面における適宜位置には、該裏面から後方（キャブ１の背面に向かう方向：図２中の右側に向かう方向）へ縦向きにループ状を成すようにストライカ３が張り出しており、該ストライカ３に対し横向きに回動するラッチ４を係合させて前記フードリッド２の開作動をロックし得るようにしてある。
【００１９】
図３に詳細を示す通り、前記ラッチ４は、回動軸５を中心として横向きに回動するようになっているが、前記回動軸５に外嵌装着されている捻りバネ６の一端によりロック方向に付勢されており、フードリッド２の閉操作時に前記ストライカ３により解除方向に押しやられた後にロック方向に復帰して該ストライカ３と係合するようになっている。
【００２０】
また、前記ラッチ４は、前記ストライカ３と係合する側と反対側の端部をケーブル７を介し図示しない車室内のフードオープナーレバーと接続されており、該フードオープナーレバーを運転者が操作することで前記ケーブル７を介し前記ラッチ４が図３中の矢印Ａの方向に回動され、フードリッド２のロックが車室内からの遠隔操作で解除されるようになっている。
【００２１】
尚、前記捻りバネ６の他端側はヘアピン状に屈曲して前記回動軸５と前記ストライカ３との間に挟み込まれるようになっており、前記ストライカ３に対する前記ラッチ４のロックが解除された際に、前記ストライカ３を前記回動軸５から離間する方向に向け押し出すよう図３中の矢印Ｂの方向に復元してフードリッド２を僅かな隙間分だけリフトアップするようにしてある。
【００２２】
そして、このように構成されたフードロック装置に関し、本形態例においては、樹脂成形部品であるウォッシャタンク８が前記ラッチ４に隣接して装備され、このウォッシャタンク８の下部には、前記ラッチ４の下方に回り込んで該ラッチ４を下方から不正操作できないように遮蔽する張出部８ａが一体成形されている。
【００２３】
このようにすれば、ラッチ４を覆う専用のカバーを用いなくても、フードロック装置をウォッシャタンク８と一緒に組み付けるだけで、フードロック装置のラッチ４が前記ウォッシャタンク８の張出部８ａにより遮蔽されて下方から不正操作することが不可能となり、第三者がキャブ１の下に潜り込んでラッチ４を不正に操作することでロックが解除されてしまう虞れがなくなる。
【００２４】
従って、上記形態例によれば、ウォッシャタンク８の張出部８ａによりラッチ４を下方から不正操作できないように遮蔽することができるので、専用のカバーを不要としてコストの高騰や組み付け工数の増加を未然に回避することができ、しかも、ラッチ４の不正操作を確実に阻んでフードリッド２内の各種部品の盗難やいたずらの被害を従前通りに防止することができる。
【００２５】
ここで、本形態例においては、ウォッシャタンク８の下部に張出部８ａを形成した場合を例示しているが、フードリッド２を開けた位置には、ウォッシャ液を簡単に補充できるようウォッシャタンク８が配置されているのが一般的であり、しかも、この種のウォッシャタンク８は樹脂成形部品であるのが通常であるため、該ウォッシャタンク８をラッチ４の周辺構造物として選定して張出部８ａを形成することは理に適っており、前記ウォッシャタンク８を樹脂成形する際に、その形状を工夫して張出部８ａが一体成形されるようにしておくだけで極めて容易に実施することができる。
【００２６】
尚、本発明のフードロック装置の不正操作防止構造は、上述の形態例にのみ限定されるものではなく、ラッチの周辺構造物としてウォッシャタンク以外のものを選定して張出部を形成するようにしても良いこと、その他、本発明の要旨を逸脱しない範囲内において種々変更を加え得ることは勿論である。
【符号の説明】
【００２７】
２      フードリッド
３      ストライカ
４      ラッチ
８      ウォッシャタンク（ラッチの周辺構造物）
８ａ    張出部
【図１】
2018024976.tif 000003
【図２】
2018024976.tif 000004
【図３】
2018024976.tif 000005